(57)【特許請求の範囲】
【請求項１】
プラグ差込口を有するボディと；
前記ボディに装着され、未使用時はスプリングの付勢力によって閉じており、プラグを挿入する際に開く扉と；
前記ボディに装着され、プラスチック光ファイバケーブルと接続されるレセプタクルと；
前記ボディと係合し、前記プラスチック光ファイバケーブルを固定する張力止め部材と；
を有し、
前記レセプタクルと前記プラグとの接続方向と；
前記プラスチック光ファイバ用コンセントが設置される壁面と；
が平行となる、ＪＩＳ規格の３個モジュールに取り付け可能なプラスチック光ファイバ用コンセント、
および、
ハウジングと；
前記ハウジングに固定され、前記レセプタクルと嵌合する嵌合部と；
前記ハウジングに形成され、弾性材料からなるビームまたは弾性構造を備えるビームと；
を有するプラグ、
を含む組立体。
【請求項２】
プラグ差込口を有するボディと；
前記ボディに装着され、未使用時はスプリングの付勢力によって閉じており、プラグを挿入する際に開く扉と；
前記ボディに装着され、プラスチック光ファイバケーブルと接続されるレセプタクルと；
前記ボディと係合し、前記プラスチック光ファイバケーブルの推奨最小半径で形成されたケーブルガイドを設けた前記プラスチック光ファイバケーブルを固定する張力止め部材と；
を有し、
前記レセプタクルと前記プラグとの接続方向と；
前記プラスチック光ファイバ用コンセントが設置される壁面と；
が平行となる、ＪＩＳ規格の３個モジュールに取り付け可能なプラスチック光ファイバ用コンセント、
および、
ハウジングと；
前記ハウジングに固定され、前記レセプタクルと嵌合する嵌合部と；
前記ハウジングに形成され、弾性材料からなるビームまたは弾性構造を備えるビームと；
を有するプラグ、
を含む組立体。
【請求項３】
前記扉が、前記レセプタクルの接続口のテーパ形状と一致する傾斜角で前記ボディに設置される請求項１または２に記載のプラスチック光ファイバ用コンセントおよびプラグを含む組立体。
【請求項４】
前記扉は、ボディ最上面より低い位置に案内面を設けられる請求項１〜３のいずれかに記載のプラスチック光ファイバ用コンセントおよびプラグを含む組立体。
【請求項５】
前記扉の案内面が、その両端に、プラグのビーム先端部を案内する案内溝を有する請求項４に記載のプラスチック光ファイバ用コンセントおよびプラグを含む組立体。
【請求項６】
前記ボディが、その長手方向後部に、前記プラスチック光ファイバケーブルの推奨最小半径と一致する半径の円弧に接する面で形成されるテーパ形状を有する請求項１〜５のいずれかに記載のプラスチック光ファイバ用コンセントおよびプラグを含む組立体。
【請求項７】
前記ボディが、接続後のプラグを支保する支保面をプラグ挿入部に有する請求項１〜６のいずれかに記載のプラスチック光ファイバ用コンセントおよびプラグを含む組立体。
【請求項８】
前記支保面の始端が、プラグとレセプタクルの接続方向に面取りされている請求項７に記載のプラスチック光ファイバ用コンセントおよびプラグを含む組立体。
【請求項９】
前記ボディの裏面に、前記プラスチック光ファイバケーブルの推奨最小半径で形成されたケーブルガイドを有する請求項１〜８のいずれかに記載のプラスチック光ファイバ用コンセントおよびプラグを含む組立体。
【請求項１０】
前記ケーブルガイドを、前記レセプタクルと所定の距離を確保した位置に設ける請求項９に記載のプラスチック光ファイバ用コンセントおよびプラグを含む組立体。
【請求項１１】
前記ボディの裏面に、係合部材を設け前記レセプタクルを着脱可能に装着できる請求項１〜１０のいずれかに記載のプラスチック光ファイバ用コンセントおよびプラグを含む組立体。
【請求項１２】
前記張力止め部材に、凸状突起を凸設した、前記プラスチック光ファイバケーブルを挟持する固定部を有する請求項１〜１１のいずれかに記載のプラスチック光ファイバ用コンセントおよびプラグを含む組立体。
【請求項１３】
前記ボディおよび前記張力止め部材に係合部材を設け、前記張力止め部材と前記ボディを着脱可能とする請求項１〜１２のいずれかに記載のプラスチック光ファイバ用コンセントおよびプラグを含む組立体。
【請求項１４】
前記張力止め部材が、壁内埋込ボックスの幅より幅が狭い背面板を有し、前記張力止め部材の背面板に前記プラスチック光ファイバケーブルを環囲されて前記壁内埋込ボックスに収納される請求項１〜１３のいずれかに記載のプラスチック光ファイバ用コンセントおよびプラグを含む組立体。
【請求項１５】
前記レセプタクルが、弾性を有する円筒状の可撓性部材で成端された前記プラスチック光ファイバケーブルと接続される請求項１〜１４のいずれかに記載のプラスチック光ファイバ用コンセントおよびプラグを含む組立体。
【請求項１６】
前記レセプタクルが、
前記プラグと嵌合する嵌合空間を有するレセプタクルハウジングと；
前記プラスチック光ファイバケーブルと接続される接続部を有する、前記レセプタクルハウジングより縮径された後部ハウジングと；
を含む請求項１〜１５のいずれかに記載のプラスチック光ファイバ用コンセントおよびプラグを含む組立体。
【請求項１７】
前記レセプタクルハウジングが、前記接続部の両外側に前記プラグのビームおよびその先端部と嵌合する間隙を有する請求項１６に記載のプラスチック光ファイバ用コンセントおよびプラグを含む組立体。
【請求項１８】
前記レセプタクルハウジングの接続口が、テーパ形状である請求項１６または１７に記載のプラスチック光ファイバ用コンセントおよびプラグを含む組立体。
【請求項１９】
前記後部ハウジングが、案内テーパおよび係合肩を有する請求項１６〜１８のいずれかに記載のプラスチック光ファイバ用コンセントおよびプラグを含む組立体。
【請求項２０】
前記後部ハウジングが、増径率の異なるフランジを有する請求項１６〜１９のいずれかに記載のプラスチック光ファイバ用コンセントおよびプラグを含む組立体。
【請求項２１】
前記後部ハウジングの縮径部に、前記ボディの係合部材と前記プラグのビーム先端部とが収まる請求項１６〜２０のいずれかに記載のプラスチック光ファイバ用コンセントおよびプラグを含む組立体。
【請求項２２】
前記ビームが、
前記嵌合部よりも長く、その先端に向かって漸減するテーパ状の突起を凸設された先端部を有する請求項１〜２１のいずれかに記載のプラスチック光ファイバ用コンセントおよびプラグを含む組立体。
【請求項２３】
前記ハウジングが、その表面の略中央部に略半円形の凸リブを有する請求項１〜２２のいずれかに記載のプラスチック光ファイバ用コンセントおよびプラグを含む組立体。
【請求項２４】
前記プラグが、さらに、
プラスチック光ファイバケーブルの断面の長半径と略同一幅で断面コの字状に形成され、その両側面にプラスチック光ファイバケーブルのテンションメンバを挟持するスリットを有する光ファイバケーブル固定具を含み；
前記ハウジングが、
プラスチック光ファイバケーブル固定具を収納して固定するプラスチック光ファイバケーブル固定具収納溝を削成される；
請求項１〜２３のいずれかに記載のプラスチック光ファイバ用コンセントおよびプラグを含む組立体。
【請求項２５】
前記プラスチック光ファイバケーブル固定具収納溝の後端側にプラスチック光ファイバケーブルを挟持するケーブル保持突起を有する請求項２４に記載のプラスチック光ファイバ用コンセントおよびプラグを含む組立体。
【請求項２６】
前記レセプタクルハウジングの嵌合空間が、前記プラグの嵌合部品と嵌合する左右非対称の嵌合溝を有し；
前記プラグの嵌合部が、その長手方向の側面の一方に、前記側面に沿って上面および下面側に凸に突起を形成された嵌合カバーを備え；
前記プラグのハウジングが、前記プラグのハウジングの略中央部先端側に、その長手方向に一方の側壁に沿って削成される、前記嵌合カバーの前記突起と係合する嵌合カバー固定溝を有する；
請求項１〜２５のいずれかに記載のプラスチック光ファイバ用コンセントおよびプラグを含む組立体。
【発明の詳細な説明】
【０００１】
【発明の属する技術分野】
本発明は、プラスチック光ファイバ用コンセントおよびプラグを含む組立体に関する。より詳しくは、ＪＩＳ規格に適合した汎用性、防塵効果を有し、取り扱いやすく施工容易な、プラスチック光ファイバケーブルの高伝送能を保持するプラスチック光ファイバ用コンセントおよびプラグを含む組立体に関する。
【０００２】
【従来の技術】
近年、プラスチック光ファイバケーブルによる光通信によって情報伝達を行う機器がオフィス等で用いられるようになっており、プラスチック光ファイバケーブルどうしを接続するプラスチック光ファイバ用コネクタ等も種々開発されている。
プラスチック光ファイバケーブルどうしを接続する方法としては、壁や床等に埋設された一方のプラスチック光ファイバケーブルの端部にコネクタを成端して接続されたプラスチック光ファイバ用コンセント（以下「光コンセント」という）に、別のコネクタを成端した他方のプラスチック光ファイバケーブルの該コネクタを接続する方法が知られている。例えば、特開平９−１２７３６９号公報、特開平１−１８９６１７号公報、特開平１−２９７６０４号公報には該方法に用いる光コンセントが記載されている。
【０００３】
しかし特開平９−１２７３６９号公報に記載の光コンセントは、その取り付け枠および接続手段部の形状が専用化されており、汎用性がなく、連接取り付けもできないという問題がある。また構造が複雑で部品点数が多く施工が困難という問題もある。
【０００４】
一方、光コンセントまたは光コネクタに塵が侵入するとその伝送性能が大きく劣化するため塵侵入を極力抑える必要がある。しかし、特開平１−２９７６０４号公報に記載の光コンセントは、ＪＩＳに定める規格に適合する３個モジュールに取り付けられる汎用性は有するものの、部品点数の削減と構造の単純化のため光コネクタの接続部を覆う部材を備えてなく、該光コンセントは防塵効果の点で問題がある。
またプラグを壁面に対して垂直方向に接続するため、出代が高くなり外的影響を受けやすいという問題もある。
【０００５】
特開平１−１８９６１７号公報に記載の光コンセントは、ＪＩＳに定める規格に適合する１個または２個モジュール化されており、コネクタ部に防塵用の扉を備えている。該扉は手動で開閉しコネクタに収蔵する構造であるが、該扉が小型であるため操作しにくく、扉の開閉とプラグの接続操作を別々に行う必要があるため操作性に問題がある。特に光コンセントは壁面等の隅に配置されるのが通常であるので、操作性の悪さはより顕著である。
またプラグを壁面に対して垂直方向に接続するため、出代が高くなり外的影響を受けやすいという問題もある。
【０００６】
さらに、これらの光コンセントは単に光コンセント（光コネクタ）にプラグを差し込む構造であり、接続部が緩みプラスチック光ファイバどうしの突合せが確実に行えないという問題もある。特に壁面に対して垂直方向に取り付ける光コンセント（コネクタ）では、プラグの自重により時間の経過と共に接続部が緩みやすく、プラスチック光ファイバケーブルの高伝送能を保持できない。
【０００７】
【発明が解決しようとする課題】
本発明は、上記問題を解決することを目的とする。
具体的には、以下に記載の光コンセントおよびプラグを含む組立体（以下単に「組立体」ということがある）を提供することを目的とする。
【０００８】
１）ＪＩＳ規格の３個モジュールに取り付け可能とすることにより、既存の配線器具に適用でき汎用性を有し取り付け用途が広がる光コンセント。
２）プラグとレセプタクルの接続方向と、プラスチック光ファイバケーブルが設置される壁面とを平行とすることにより、壁面からプラグの出代を小さくすることができ、家具等によるプラスチック光ファイバー芯線への外的影響を受け難く、伝送性能を維持できる光コンセントおよびプラグ。また、プラグが外れても、プラスチック光ファイバケーブルで伝送された光線が下方向（床方向）に出るため光コンセントを覗きこむことによる人的影響もなく安全性が確保できる光コンセント。
３）張力止め部材に、プラスチック光ファイバケーブルの推奨最小半径で形成されたケーブルガイドを設けることにより、施工時にケーブルがケーブルガイドに固定され推奨最小半径より小さく湾曲されることを未然に防止でき伝送性能を維持できる光コンセント。
４）レセプタクル接続口のテーパ形状と一致する傾斜角で扉を設置することにより、扉とレセプタクルの隙間をなくすことができ塵の侵入を防止できる光コンセント。
５）扉に、ボディ最上面より低い位置に案内面を設けることにより、扉の案内面が確認でき扉の開閉操作性が容易かつ自動開閉可能な光コンセント。
【０００９】
６）扉の案内面の両端に、プラグのビーム先端部を案内する案内溝を設けることにより、開閉操作が簡単でスムーズかつバランスよく行え、防塵構造を有する光コンセント。
７）ボディは、プラスチック光ファイバケーブルの推奨最小半径と一致する半径の円弧に接する面で形成されるテーパ形状を有することにより、壁面からの出っ張り感がなくなり、見栄えが良く、また、部品点数も減らすことができコストメリットも向上する光コンセント。
８）ボディに、接続後のプラグを支保する支保面をプラグ挿入部に形成することにより、プラグ挿入後、支保面に対して垂直方向のプラグの揺動を防止でき、安定した支保が可能である光コンセント。またプラグに外的影響を受けても支保面で保持できるため直接ファイバが外的影響を受けにくい光コンセントおよびプラグ。
９）支保面の始端が、プラグとレセプタクルの接続方向に面取りされていることにより、プラグの挿入が引掛りなくスムーズに行え、また、化粧板からの出っ張り感をなくすことができ見栄えが良くなる光コンセントおよびプラグ。
１０）ボディの裏面に、プラスチック光ファイバケーブルの推奨最小半径で形成されたケーブルガイドを有することにより、施工時にケーブルがケーブルガイドに固定され推奨最小半径より小さく湾曲されることを未然に防止でき伝送性能を維持できる光コンセント。
【００１０】
１１）ケーブルガイドをレセプタクルと所定の距離を確保した位置に設けることにより、レセプタクルへ差し込まれるプラスチック光ファイバ芯線の揺動を抑え、芯線への外的影響を防止できる光コンセント。
１２）ボディの裏面に、係合部材を設け、レセプタクルを着脱可能に装着することにより、レセプタクルの着脱が容易であり、施工性が向上する光コンセント。
１３）張力止め部材に、凸状突起を凸設しプラスチック光ファイバケーブルを挟持する固定部を設けることにより、固定部の凸状突起により施工時想定されるプラスチック光ファイバケーブルの引っ張りを防止し伝送性能を維持できる光コンセント。
１４）ボディおよび張力止め部材に、係合部材を設け、張力止め部材とボディを着脱可能に係着することにより、例えば壁内部の隙間が狭い所へ施工する場合等においてもボディからの取外しも簡単にでき施工性が向上し使用範囲も広がる光コンセント。また該張力止め部材が固着され施行時のプラスチック光ファイバケーブルが安定し、伝送性能の維持も可能である光コンセント。
１５）壁内埋込ボックスより幅が狭い背面板を有し、張力止め部材の背面板にプラスチック光ファイバケーブルを環囲されて、張力止め部材を壁内埋込ボックスに収納できるようにすることにより、施工時に壁内埋込ボックス内部にケーブルを収納し易く施工性が向上する光コンセント。
【００１１】
１６）弾性を有する円筒状の可撓性部材（ブーツ）で成端されたプラスチック光ファイバケーブルと接続されるレセプタクルを用いることにより、作業性がよくプラスチック光ファイバケーブルの湾曲時の応力を分散できプラスチック光ファイバ芯線が保護される光コンセント。
１７）プラグと嵌合する嵌合空間を有するレセプタクルハウジングと；プラスチック光ファイバケーブルと接続される接続部を有する、レセプタクルハウジングより縮径された後部ハウジングと；を含むレセプタクルを用いることにより、レセプタクルがボディに確実に装着され、レセプタクルとプラグとの接続も確実に行える光コンセント。
１８）前記レセプタクルハウジングが、前記接続部の両外側（前記ボディのプラグ差込口と前記レセプタクルの側壁との間）に前記プラグのビームおよびその先端部と嵌合する間隙を有することにより、プラグのビームとレセプタクルの接続状態が確実となり、接続方向に対して垂直方向のプラグの揺動を防止できる光コンセントおよびプラグ。
１９）レセプタクルハウジングの接続口を、テーパ形状とすることにより、扉とレセプタクルの隙間をなくすことができ塵の侵入を防止することができる光コンセント。
２０）レセプタクルの後部ハウジングが、案内テーパおよび係合肩を有することにより、該レセプタクルの装着方向を間違えない光コンセント。
【００１２】
２１）レセプタクルの後部ハウジングが、増径率の異なるフランジを有することにより、該レセプタクルの装着方向を間違えない光コンセント。
２２）レセプタクルの後部ハウジングの縮径部に、ボディの係合部材とプラグのビーム先端部が収まる構造とすることで、レセプタクルがボディに強固に固定されかつプラグとの接続が確実になる光コンセントおよびプラグ。
２３）プラグのビームが嵌合部よりも長く、その先端に向かって漸減するテーパ状の突起を凸設された先端部を有することにより、接続時に案内され接続が容易となるとともにプラスチック光ファイバケーブルの固定が確実になり、かつ、プラグの嵌合部を保護できるプラグ。
２４）プラグのハウジングに、その表面の略中央部に略半円形の凸リブを形成することにより、該凸リブとボディの支保面が当接し、プラグ挿入後、支保面に対して垂直方向のプラグの揺動を防止できるプラグ。
２５）プラグ内部にプラスチック光ファイバケーブルの断面の長半径と略同一幅で断面コの字状に形成され、その両側面にプラスチック光ファイバケーブルのテンションメンバを挟持するスリットを有する光ファイバケーブル固定具と；該固定具を収納するプラスチック光ファイバケーブル固定具収納溝を有することにより、プラグを小型化できかつプラグが外的影響を受けても固定部で保持できるため直接ファイバが外的影響を受けにくいプラグ。
【００１３】
２６）プラグ内部のプラスチック光ファイバケーブル固定具収納溝の後端側に、プラスチック光ファイバケーブルを挟持するケーブル保持突起を凸設することにより、プラスチック光ファイバケーブルをより強固に保持できるプラグ。
２７）前記プラグの嵌合部品と嵌合する左右非対称の嵌合溝を有する前記レセプタクルハウジングの嵌合空間と；プラグ内部のプラスチック光ファイバケーブル先端側では、その側面の一方に、該側面に沿って上面および下面側に凸に突起を凸設された嵌合カバーを備える嵌合部と；プラグのハウジングの略中央部先端側に、その長手方向に一方の側壁に沿って嵌合カバーの突起と係合する嵌合カバー固定溝を削成されたハウジングと；を有することにより、接続方向 (面) の間違いがないプラグ。
【００１４】
【課題を解決するための手段】
１）本発明は、プラグ差込口を有するボディと；前記ボディに装着され、自動開閉する扉と；前記ボディに装着され、プラスチック光ファイバケーブルと接続されるレセプタクルと；前記ボディと係合し、前記プラスチック光ファイバケーブルを固定する張力止め部材と；を有する、ＪＩＳ規格の３個モジュールに取り付け可能なプラスチック光ファイバ用コンセント、および、
ハウジングと；前記ハウジングに固定され、前記レセプタクルと嵌合する嵌合部と；前記ハウジングに形成され、弾性材料からなるビームまたは弾性構造を備えるビームと；有するプラグ、
を含む組立体を提供する。
【００１５】
２）本発明は、プラグ差込口を有するボディと；前記ボディに装着され、自動開閉する扉と；前記ボディに装着され、プラスチック光ファイバケーブルと接続されるレセプタクルと；前記ボディと係合し、前記プラスチック光ファイバケーブルを固定する張力止め部材と；を有し、
前記レセプタクルと前記プラグとの接続方向と；前記プラスチック光ファイバ用コンセントが設置される壁面と；が平行となる、ＪＩＳ規格の３個モジュールに取り付け可能なプラスチック光ファイバ用コンセント、および、
ハウジングと；前記ハウジングに固定され、前記レセプタクルと嵌合する嵌合部と；前記ハウジングに形成され、弾性材料からなるビームまたは弾性構造を備えるビームと；を有するプラグ、
を含む組立体を提供する。
【００１６】
３）本発明は、プラグ差込口を有するボディと；前記ボディに装着され、自動開閉する扉と；前記ボディに装着され、プラスチック光ファイバケーブルと接続されるレセプタクルと；前記ボディと係合し、前記プラスチック光ファイバケーブルの推奨最小半径で形成されたケーブルガイドを設けた前記プラスチック光ファイバケーブルを固定する張力止め部材と；を有し、
前記レセプタクルと前記プラグとの接続方向と；前記プラスチック光ファイバ用コンセントが設置される壁面と；が平行となる、ＪＩＳ規格の３個モジュールに取り付け可能なプラスチック光ファイバ用コンセント、および、
ハウジングと；前記ハウジングに固定され、前記レセプタクルと嵌合する嵌合部と；前記ハウジングに形成され、弾性材料からなるビームまたは弾性構造を備えるビームと；を有するプラグ、
を含む組立体を提供する。
【００１７】
４）本発明は、前記扉が、前記レセプタクルの接続口のテーパ形状と一致する傾斜角で前記ボディに設置される１）〜３）のいずれかに記載の組立体を提供する。
【００１８】
５）本発明は、前記扉は、ボディ最上面より低い位置に案内面を設けられる１）〜４）のいずれかに記載の組立体を提供する。
【００１９】
６）本発明は、前記扉の案内面が、その両端に、プラグのビーム先端部を案内する案内溝を有する５）に記載の組立体を提供する。
【００２０】
７）本発明は、前記ボディが、その長手方向後部に、前記プラスチック光ファイバケーブルの推奨最小半径と一致する半径の円弧に接する面で形成されるテーパ形状を有する１）〜６）のいずれかに記載の組立体を提供する。
【００２１】
８）本発明は、前記ボディが、接続後のプラグを支保する支保面をプラグ挿入部に有する１）〜７）のいずれかに記載の組立体を提供する。
【００２２】
９）本発明は、前記支保面の始端が、プラグとレセプタクルの接続方向に面取りされている８）に記載の組立体を提供する。
【００２３】
１０）本発明は、前記ボディの裏面に、前記プラスチック光ファイバケーブルの推奨最小半径で形成されたケーブルガイドを有する１）〜９）のいずれかに記載の組立体を提供する。
【００２４】
１１）本発明は、前記ケーブルガイドを、前記レセプタクルと所定の距離を確保した位置に設ける１０）に記載の組立体を提供する。
【００２５】
１２）本発明は、前記ボディの裏面に、係合部材を設け前記レセプタクルを着脱可能に装着できる１）〜１１）のいずれかに記載の組立体を提供する。
【００２６】
１３）本発明は、前記張力止め部材に、凸状突起を凸設した、前記プラスチック光ファイバケーブルを挟持する固定部を有する１）〜１２）のいずれかに記載の組立体を提供する。
【００２７】
１４）本発明は、前記ボディおよび前記張力止め部材に係合部材を設け、前記張力止め部材と前記ボディを着脱可能とする１）〜１３）のいずれかに記載の組立体を提供する。
【００２８】
１５）本発明は、前記張力止め部材が、壁内埋込ボックスの幅より幅が狭い背面板を有し、前記張力止め部材の背面板に前記プラスチック光ファイバケーブルを環囲させて前記壁内埋込ボックスに収納される１）〜１４）のいずれかに記載の組立体を提供する。
【００２９】
１６）本発明は、前記レセプタクルが、弾性を有する円筒状の可撓性部材（ブーツ）で成端された前記プラスチック光ファイバケーブルと接続される１）〜１５）のいずれかに記載の組立体を提供する。
【００３０】
１７）本発明は、前記レセプタクルが、
前記プラグと嵌合する嵌合空間を有するレセプタクルハウジングと；
前記プラスチック光ファイバケーブルと接続される接続部を有する、前記レセプタクルハウジングより縮径された後部ハウジングと；
を含む１）〜１６）のいずれかに記載の組立体を提供する。
【００３１】
１８）本発明は、前記レセプタクルハウジングが、前記接続部の両外側（前記ボディのプラグ差込口と前記レセプタクルの側壁との間）に前記プラグのビームおよびその先端部と嵌合する間隙を有する１７）に記載の組立体を提供する。
【００３２】
１９）本発明は、前記レセプタクルハウジングの接続口が、テーパ形状である１７）または１８）に記載の組立体を提供する。
【００３３】
２０）本発明は、前記後部ハウジングが、案内テーパおよび係合肩を有する１７）〜１９）のいずれかに記載の組立体を提供する。
【００３４】
２１）本発明は、前記後部ハウジングが、増径率の異なるフランジを有する１７）〜２０）のいずれかに記載の組立体を提供する。
【００３５】
２２）本発明は、前記後部ハウジングの縮径部に、前記ボディの係合部材と前記プラグのビーム先端部とが収まる１７）〜２１）のいずれかに記載の組立体を提供する。
【００３６】
２３）本発明は、前記ビームが、
前記嵌合部よりも長く、その先端に向かって漸減するテーパ状の突起を凸設された先端部を有する１）〜２２）のいずれかに記載の組立体を提供する。
【００３７】
２４）本発明は、前記ハウジングが、その表面の略中央部に略半円形の凸リブを有する１）〜２３）のいずれかに記載の組立体を提供する。
【００３８】
２５）本発明は、前記プラグが、さらに、
プラスチック光ファイバケーブルの断面の長半径と略同一幅で断面コの字状に形成され、その両側面にプラスチック光ファイバケーブルのテンションメンバを挟持するスリットを有する光ファイバケーブル固定具を含み；
前記ハウジングが、
プラスチック光ファイバケーブル固定具を収納して固定するプラスチック光ファイバケーブル固定具収納溝を削成される；
１）〜２４）のいずれかに記載の組立体を提供する。
【００３９】
２６）本発明は、前記プラスチック光ファイババケーブル固定具収納溝の後端側にプラスチック光ファイバケーブルを挟持するケーブル保持突起を有する２５）に記載の組立体を提供する。
【００４０】
２７）本発明は、前記レセプタクルハウジングの嵌合空間が、前記プラグの嵌合部品と嵌合する左右非対称の嵌合溝を有し；
前記プラグの嵌合部が、その長手方向の側面の一方に、前記側面に沿って上面および下面側に凸に突起を形成された嵌合カバーを備え；
前記プラグのハウジングが、前記プラグのハウジングの略中央部先端側に、その長手方向に一方の側壁に沿って削成される、前記嵌合カバーの前記突起と係合する嵌合カバー固定溝を有する；
１）〜２６）のいずれかに記載の組立体を提供する。
【００４１】
【発明の実施の形態】
以下、本発明の光コンセントおよびプラグを含む組立体について、添付の図に示される好適実施例を基に順を追って詳細に説明する。
図中において、同一の符号は同一の部材を示す。
なお、以下で説明する光コンセントおよびプラグは、２本のプラスチック光ファイバを内側に配置し、その両側にテンションメンバである補強線材を２本設け、樹脂材からなる被覆用樹脂ケーブルで被覆した２心平型プラスチック光ファイバケーブルを接続する場合について説明しているが、本発明においては、これに限定されずいかなる形状のプラスチック光ファイバケーブルを接続してもよく、１本あるいは３本以上のプラスチック光ファイバと１本あるいは３本以上のテンションメンバとを有するプラスチック光ファイバケーブルに用いられる光コンセントおよびプラグであってもよい。
【００４２】
本発明は、プラグ差込口を有するボディと；該ボディに装着され、自動開閉する扉と；該ボディに装着され、プラスチック光ファイバケーブルと接続されるレセプタクルと；該ボディと係合し、該プラスチック光ファイバケーブルを固定する張力止め部材と；を有する、ＪＩＳ規格の３個モジュールに取り付け可能なプラスチック光ファイバ用コンセント、および、
ハウジングと；該ハウジングに固定され、該レセプタクルと嵌合する嵌合部と；該ハウジングに形成され、弾性材料からなるビームまたは弾性構造を備えるビームと；を有するプラグ、を含む組立体であり、図１は本発明の光コンセントおよびプラグを含む組立体の接続状態を示す斜視図である。
図１において、１は光コンセント、２は接続部、３は化粧板、４００はプラグである。
本発明の組立体の光コンセント１とプラグ４００との接続方向は、光コンセント１が取り付けられた壁面に対して平行である。このような接続構造とすることで、壁面からプラグの出代を小さくすることができ、家具等によるプラスチック光ファイバー芯線への外的影響を受け難く、伝送性能を維持できる。また、プラグ４００が外れても、プラスチック光ファイバケーブル６００で伝送された光線が下方向（床方向）に出るため光コンセントを覗きこむことによる人的影響もなく安全性が確保できる。
【００４３】
図２は、光コンセント１の分解斜視図である。
図２において、２は接続部、４はプレート枠、５はプレート取り付けネジ、６は取り付け枠である。
光コンセント１は、プレート枠４に取り付け可能に成形された取り付け枠６と、該取り付け枠６と後述する化粧板３とを接合させ、ＪＩＳ規格に適合する壁内埋込ボックス（図示しない）に取り付け可能に成形されたプレート枠４と、化粧板３と、壁内に埋込まれた一方のプラスチック光ファイバケーブル６００と他方のプラスチック光ファイバケーブルを接続する接続部２とを有する。該接続部２と取り付け枠６は係合突起６２と係合溝６１により係合される。プレート枠４と取り付け枠６はプレート取り付けネジ５により螺合され、化粧板３とプレート枠４は図示しない弾性係合ラッチと係合肩６３により係合され、取り付け枠６と化粧板３とが接合されて光コンセントが組立てられる。このような構造にすることで、ＪＩＳ規格に適合する壁内埋込ボックスに光コンセント１を取り付けることができ汎用性を有し取り付け用途が広がる。
【００４４】
図２および図３を参照してボディ１０について説明する。
図２において、２は接続部、１０はボディ、１１は扉、２０は挿入部、２１は案内面、２２は案内溝、２５は支保面、２７は最上面、２８は傾斜面、３０は差込口である。図３において、１１は扉、１２はスプリング、１３は裏カバーである。
接続部２は、プラグ４００の挿入部２０が設けられた本体であるボディ１０と、スプリング１２と裏カバー１３とでボディ１０に取付けられる挿入部２０の扉１１と、ボディ１０の裏側に設けられて壁内のプラスチック光ファイバケーブル６００を保持する張力止め部材２００とプラスチック光ファイバケーブル６００の先端を保持するレセプタクル１００から構成される。
ボディ１０の挿入部２０は、案内溝２２を備えた案内面２１が突出する扉１１と、それを保持する傾斜面２８を持つ最上面２７と支保面２５の間の差込口３０で構成される。
【００４５】
ボディ１０の扉１１は、扉収納部１４に扉１１、スプリング１２および裏カバー１３をこの順に収納し裏カバー１３の弾性係合ラッチ（図示しない）とボディ１０の係合肩１５を係合して固定される。扉１１は案内片１７で図示しないボディ挿入部と係合し扉１１の開閉時に摺動する。扉１１はボディ１０の最上面２７と略並行の案内面２１を有するのでプラグ４００の先端を案内面２１に当ててそのまま支保面２５方向へプラグ４００の先端を動かすとスプリング１２が押圧されて扉１１が開き、プラグ４００が挿入部２０へ挿入できる。このような構造にすることで、扉１１は自動開閉可能となり光コンセントとプラグとの接続操作が容易であり、また一度の操作で扉１１の開閉とこの接続操作が可能となる。さらに、未使用時はスプリング１２の付勢力により該扉１１が常に閉じておりレセプタクル１００を外界から遮蔽しているので防塵効果を有し、その結果プラスチック光ファイバケーブルの高伝送能を保持することができる。
【００４６】
扉１１の開閉面１６は、ボディ１０内部に装着される後述するレセプタクル１００の接続口１０５と同じ傾斜角（テーパ形状）を持って、最上面２７から支保面２５に向かって取り付けられる。このような構造にすることで、扉１１とレセプタクル１００の接続口１０５との間隙をなくすことができ塵の侵入を防止できる。また扉の開閉がスムーズかつバランスよく行われ、接続状態でも防塵効果を有する。
扉１１は全開しても該扉１１の案内面２１が後述する支保面２５に当接して位置し、該案内面２１は完全にボディ１０内部に格納されない（案内面２１は支保面２５上に位置する）。このような構造にすることで、扉の開閉がスムーズかつバランスよく行われる。
【００４７】
ボディ１０の長手方向始端側には、扉１１と支保面２５を有する、プラグの挿入部２０が設けられる。
該扉１１の上端にはボディ１０の長手方向の垂直方向に沿ってプラグの先端を案内する案内面２１が、支保面２５と平行にボディ１０の最上面２７より低い位置に凸設される。また該最上面２７の挿入部２０側端部には傾斜面２８が設けられ、扉１１を見えやすくしプラグ４００を案内面２１に配置した後に該プラグ先端４１１がボディ１０の長手方向に揺動するのを防止する。さらに該案内面２１の長手方向両端にはプラグ４００の先端部４１１を載置する案内溝２２がそれぞれ設けられる。このような構造にすることで、光コンセントとプラグの接続時にプラグの先端４１１が揺動して該先端４１１が案内面２１から外れることによる接続ミスを防止でき、かつ、容易に接続できる。
【００４８】
プラグの挿入部２０には支保面２５が設けられ、該支保面２５は前記したように全開した扉１１の案内面２１より低く位置する（図４参照）。該支保面２５と後述するプラグ４００の凸リブ４２０（案内面２１と略同一の厚さで凸設される）とが当接しプラグ４００が支保されるため、プラグ４００の支保面２５に対して垂直方向の揺動が抑えられ、プラスチック光ファイバケーブルの高伝送能を保持することができる。その長手方向の始端２６は、レセプタクル１００とプラグ４００の接続方向に面取り加工を施されプラグ４００の差込みを容易にする。
【００４９】
図４は扉１１を開いた状態の、ボディ１０に設けられたプラグの差込口３０を示す斜視概略図である。
図４において、２１は扉１１の案内面、３０は差込口、３１は間隙、１０１はレセプタクルの上面、１０２はレセプタクルの下面、１０３および１０４はレセプタクルの側壁である。
ボディ１０の装着部に装着された後述するレセプタクル１００の上面１０１と下面１０２はその両側壁１０３、１０４から突出しており、プラグの差込口３０の両端面と間隙３１を形成する。該間隙３１はプラグ４００のビーム４１０が収まる程度の大きさである。このような構造とすることで、ボディ１０へのプラグ４００の挿入時にプラグ４００の先端部４１１が案内され、かつ、プラグ４００のビーム４１０が該間隙３１に挿入され確実に固定されるため光コネクタとプラグの接続状態が強固になり、プラグ４００の接続方向の直角方向への揺動を抑えることができ、プラスチック光ファイバケーブルの高伝送能を保持することができる。
【００５０】
図２に示すように、ボディ１０はその長手方向始端から略３分の２の位置から終端にかけてテーパ状とされ、該テーパ形状は該ボディ１０の内部に収納されるプラスチック光ファイバケーブル６００の推奨最小半径と一致する半径の円弧（ケーブルガイド４０の外周面）に接する面で形成される。このような構造とすることで、該ボディ１０の長手方向終端（該テーパ状の面）に塵が蓄積するのを防止し、かつ、プラスチック光ファイバケーブルが無理に折り曲げられて損傷する（屈曲する）のを防ぐことができる。また、ボディ１０の設置方向を間違えることもない。
【００５１】
図３を参照して、ボディ１０の内部（裏面）を説明する。
図３は接続部２の分解斜視図である。図３において、４０はケーブルガイド、４１は突起である。
ボディ１０の長手方向終端近傍で、長手方向の直角方向の中心部近傍には、プラスチック光ファイバケーブルを保持するケーブルガイド４０が設けられ、該ケーブルガイド４０はプラスチック光ファイバケーブルの推奨最小半径と一致する半径で円弧状に形成される。該ケーブルガイド４０の幅は壁内部に引き廻されるプラスチック光ファイバケーブル６００の断面の長半径と同じ長さである。また該ケーブルガイド４０には、レセプタクル１００収納部側の端部にプラスチック光ファイバケーブルの長手方向のずれを防止する突起４１が設けられる。さらに該ケーブルガイド４０（そのレセプタクル１００側の端部）はレセプタクル１００を装着する装着部と所定の距離を確保して形成される。このような構造とすることで、プラスチック光ファイバケーブル６００が無理に折り曲げられて損傷する（屈曲する）のを防ぐことができ、プラスチック光ファイバケーブル６００とレセプタクル１００との接続長さに自由度が生じ光コンセントの設置作業が容易となる。
ここで、プラスチック光ファイバケーブルの推奨最小半径は２５ｍｍ以下であるのが好ましい。
【００５２】
またボディ１０の内部には、弾性係合ラッチ４２が設けられ後述するレセプタクル１００に設けられた係合肩１２３と係合してレセプタクル１００を装着する装着部が形成される。このような構造とすることで、ボディ１０とレセプタクル１００とを繰返し着脱可能とし、設置時またはメンテナンス時等の作業性が向上する。
【００５３】
次に図３を参照して張力止め部材２００について説明する。
図３において、２００は張力止め部材、２０１は背面板、２１０はケーブルガイド、２３０は固定部、２３１および２３２は突起、２３５は挟持空間である。張力止め部材２００は、ボディ１０のケーブルガイド４０と整合するケーブルガイド２１０と、プラスチック光ファイバケーブル６００を挟持する固定部２３０と、ボディ１０と係合する弾性係合ラッチ２２０、係合凹部２２１と、プラスチック光ファイバケーブル６００を張力止め部材２００の幅方向に環囲させる側壁２４０を持つ背面板２０１とを有する。これらは一体成形されて張力止め部材２００とされてもよいが、個々に形成されて嵌め合いまたは固着して形成されてもよい。
【００５４】
ケーブルガイド２１０は、プラスチック光ファイバケーブル６００の推奨最小半径と一致する半径で円弧状に形成される。ここでプラスチック光ファイバケーブルの推奨最小半径は２５ｍｍ以下であるのが好ましい。該ケーブルガイド４０の幅はプラスチック光ファイバケーブル６００の断面の長半径と同じ長さである。また、該ケーブルガイド２１０の背面板２０１側終端には、プラスチック光ファイバケーブルの固定部２３０を備える。該固定部２３０は、プラスチック光ファイバケーブル６００の断面の短半径（平面厚さ）と略同じ長さの間隔の挟持空間２３５を持つ断面コの字状である。該挟持空間２３５にはプラスチック光ファイバケーブル６００を固定する突起２３１が該挟持空間２３５の長手方向（ケーブルガイド４０と垂直方向）に向かって設けられプラスチック光ファイバケーブル６００を挟持すると共に、該挟持空間２３５はさらに、突起２３２が背面板２０１の長手方向の垂直方向（ケーブルガイド２１０の長手方向）に沿って設けられプラスチック光ファイバケーブル６００がケーブルガイド２１０から外れるのを防止する。このような構造とすることで、ボディ１０のケーブルガイド４０と整合して略半円状にプラスチック光ファイバケーブルを固定するためプラスチック光ファイバケーブルが無理に折り曲げられて損傷する（屈曲する）のを防ぐことができる。また、プラスチック光ファイバケーブルが確実に固定されるので、プラスチック光ファイバケーブルの長手方向の引っ張りに対する損傷も抑えることができる。
【００５５】
また、該張力止め部材２００はプラスチック光ファイバケーブル６００を張力止め部材２００の幅方向に環囲させる、壁内埋込ボックスより狭い幅の背面板２０１を有し、その背面板２０１は側壁２４０を有する。このような構造とすることで、プラスチック光ファイバケーブルが無理に折り曲げられて光コンセント（壁内埋込ボックス）内に収納されるのを防止できるためプラスチック光ファイバケーブルの損傷を抑えられ、また光コンセントの組立が容易になる。
【００５６】
該張力止め部材２００のボディ１０への取り付けは、該張力止め部材２００の背面板２０１の両側壁２４０の下部に形成された係合凹部２２１と弾性係合ラッチ２２０を、ボディ１０の長手方向略中央部に設けられた係合凸部５０と係合突起５１に係合させて着脱可能に取り付けることができる。このような構造とすることで、設置時またはメンテナンス時等の作業性が向上する。また該張力止め部材が固着され施行時のプラスチック光ファイバケーブルが安定し、伝送性能の維持も可能である。
【００５７】
図５は、後述する接続口１０５のテーパ形状を誇張した、レセプタクル１００の斜視概念図である。
図５において、１００はレセプタクル、１０１は上面、１０２は下面、１０３および１０４は側壁、１０５は接続口、１１０はレセプタクルハウジング、１２０は後部ハウジング、１２２は案内テーパ、１２３は係合肩、１２４はフランジ、１３０は嵌合空間である。
レセプタクル１００は、レセプタクルハウジング１１０と後部ハウジング１２０を有する。
レセプタクルハウジング１１０は、直方体状の中空部材で上面１０１、下面１０２および側壁１０３、１０４により形成される嵌合空間１３０、上面１０１と下面１０２はその両側壁１０３、１０４から突出し後述するプラグのビームと嵌合するための空間（空隙３１）および後部ハウジング１２０と係合する係合肩１０６を有する。嵌合空間１３０は、後述するプラグ４００の嵌合部４１５と嵌合しレセプタクル１００とプラグ４００を接続する部材を備える空間であり、該空間１３０には、プラグ嵌合部４１５の嵌合カバー４６０に左右非対称に凸設される突起４６５と嵌合するように左右非対称の嵌合溝が削成される。このような構造とすることで、プラグとの接続をより強固なものとし接続方向（具体的にはプラスチック光ファイバケーブルの極性）を間違えることもない。
【００５８】
該空間（空隙３１）は前述のとおり、プラグ４００の先端部４１１を案内し、かつ、プラグ４００のビーム４１０を挿入され確実に固定する。そのため光コネクタとプラグの接続状態が強固になり、プラグ４００の接続方向の直角方向への揺動を抑えることができ、プラスチック光ファイバケーブルの高伝送能を保持することができる。
また、該レセプタクルハウジング１１０の接続口１０５は、前記扉１１の取り付け角度と同一のテーパ形状で、上面１０１から下面１０２に向かって縮径して形成される。このような構造とすることで、防塵効果を有し、該レセプタクル１００をボディ１０に間違えて取り付けることがない。さらに該テーパ形状とすることにより扉１１のスムーズな開閉が可能となる。
【００５９】
後部ハウジング１２０は、レセプタクルハウジング１１０の両側壁１０３および１０４より縮径した直方体状の筒状部材で、壁内に埋込まれたプラスチック光ファイバケーブル６００を挿入接合するための接続部（図示しない）と、レセプタクルハウジング１１０と係合するための弾性係合ラッチ１２１、案内テーパ１２２、ボディ１０の弾性係合ラッチ４２と係合する係合肩１２３およびフランジ１２４を有する。
後部ハウジング１２０がレセプタクルハウジング１１０より縮径していることで、後述するプラグのビーム先端部４１１に凸設された突起の後端とレセプタクルハウジング１１０が強固に係止しプラグ４００とレセプタクル１００の接続が確実になる。また案内テーパ１２２および係合肩１２３を異なる形状とすることにより、ボディ１０と確実に装着でき、ボディ１０の弾性係合ラッチ４２と案内テーパ１２２は係合しないためレセプタクル１００の上下方向（具体的にはプラスチック光ファイバケーブルに由来するレセプタクル１００の極性）の取り付け間違いをすることがない。
【００６０】
また、後部ハウジング１２０のプラスチック光ファイバケーブル側終端部には、上面から下面に向かって両側面１２５に凸に増径されたフランジ１２４を有する。該フランジ１２４はその増径率（突出度）が異なる。このような構造とすることで、レセプタクルハウジング１１０と後部ハウジング１２０との係合を一通りにのみ可能とし係合（具体的にはプラスチック光ファイバケーブルの極性に由来するハウジング１１０と１２０の極性）間違いをすることがない。
さらに、該後部ハウジング１２０の側壁１２５は、前記ボディ１０の弾性係合ラッチ４２と後述するプラグ４００のビーム先端部４１１がちょうど収まる長さを有する。このよう構造とすることで、ボディ１０との係合およびプラグとの接続が緩むことなくプラスチック光ファイバケーブルどうしを確実に接続できる。
【００６１】
後部ハウジング１２０とプラスチック光ファイバケーブル６００との接続は、レセプタクル用ブーツ１５０と一般に用いられているフェルール等により可能となる。該ブーツ１５０は、円筒状の中空部材で柔軟材であり、その長手方向の始端から終端に向かって縮径している。始端の内径はプラスチック光ファイバの直径よりやや大きく、その外径はプラスチック光ファイバを保護するケーブルシースの内径よりやや小さく形成されている。そのため該ブーツ１５０はケーブルシースに所定長さだけ挿入される。終端の内径はフェルールホルダの外径よりやや小さく形成され、ブーツ全体の肉厚は約０．５ｍｍ、その長さは約３０ｍｍである。
【００６２】
図１２はレセプタクルとプラスチック光ファイバケーブルとの接続状態を示す斜視図である。図１２において、１００はレセプタクル、１５０はブーツ、６００はプラスチック光ファイバケーブルである。
レセプタクルとプラスチック光ファイバケーブルとの接続は、縮径しているブーツの先端側からそれぞれのプラスチック光ファイバにブーツ１５０を通し該先端側をプラスチック光ファイバケーブルシースに挿入する。その後フェルールホルダをプラスチック光ファイバに通してブーツ１５０の終端を該ホルダに圧入し保持する。このようにしてプラスチック光ファイバケーブルの端部を成端し、該成端部をレセプタクル１００の後部ハウジングに取り付け結合させる。
一般的な可撓性を有しないプラスチックや金属等で終端部を成端する方法と異なり、本発明で用いる該ブーツ１５０は、ゴム、エラストマー等からなるためプラスチック光ファイバケーブル６００と後部ハウジング１２０との間の自由度が大きく作業性がよく、ブーツ１５０によりプラスチック光ファイバケーブルの湾曲時の応力を分散できファイバ芯線が保護される。
また、プラスチック光ファイバケーブル６００からファイバ芯線が露出する部分に応力集中が発生しやすいが、ブーツ１５０を用いることにより応力が分散できファイバ芯線が保護される。
【００６３】
図６〜８および１１を参照して本発明に用いるプラグを説明する。
図６は上部ハウジング４０１と下部ハウジング４０２を係合肩４３０と弾性係合ラッチ４３１で嵌め合わせて組立てたプラグ４００の正面図、図７は上部ハウジング４０１の内部の正面図、図８は下部ハウジング４０２の内部の正面図である。図６〜８および１１において、４００はプラグ、４０１は上部ハウジング、４０２は下部ハウジング、４１０はビーム、４１１は先端部、４１５は嵌合部、４２０は凸リブ、４３５は嵌合カバー固定突起、４３６は嵌合カバー固定溝、４４０はプラスチック光ファイバケーブル固定具収納溝、４４３はケーブル保持突起である。
本発明のプラグ４００は、上部ハウジング４０１、下部ハウジング４０２、プラスチック光ファイバ嵌合部４１５および光ファイバケーブル固定具４５０を有する。
図１１は、該プラグの斜視図である。該プラグは、図１１に示すようにビームを有さなければ構造が簡単でよいが、図６に示すように嵌合部４１５よりも長いビーム４１０を有するのが好ましい。該ビーム４１０により、嵌合部４１５が保護され、プラグと光コンセント（レセプタクル１００）との接続が確実になり、また先端部４１１によりレセプタクル１００との接続が案内され容易に接続できる。
該ビーム４１０はその先端部４１１に突起を有し、該突起は先端に向かって漸減するテーパ状に成形される。このような構造にすることにより、プラグ４００をレセプタクル１００に接続する際に該先端部４１１がレセプタクル１００と差込口３０からなる間隙３１をその壁面に沿って摺動し案内されるため、接続が容易かつ確実に行われる。
【００６４】
該プラグ４００の長手方向の側面部略中央部には円弧状のつまみ部４２１が設けられる。また該プラグ４００には、上部ハウジング４０１および下部ハウジング４０２の表面側略中央部に、前記扉１１の案内面２１の厚さと略同一の厚さを有する略半円形の凸リブ４２０が凸設され、該上部ハウジング４０１の凸リブ４２０には、光コンセント１との接続方向 (面) を示す印が削成される。このような構造にすることにより、プラグ４００の先端面を光コンセント１に挿入すると、扉１１の案内面２１を超えて該凸リブ４２０とボディ１０の支保面２５が当接しプラグが上下（支保面２５に対して垂直方向）に揺動することなく確実に接続される。
【００６５】
図７および８を参照し、ハウジング４０１および４０２について説明する。
プラグ４００は、上部ハウジング４０１および下部ハウジング４０２を嵌め合わせることによって形成され、係合肩４３０、弾性係合ラッチ４３１および係合孔４４１、圧入ポスト４４２とによって互いに係合して一体化される筐体である。
以下、上部ハウジング４０１について説明し下部ハウジング４０２の説明は省略する。
【００６６】
上部ハウジング４０１は、前記のビーム４１０、嵌合カバー固定突起４３５、嵌合カバー固定溝４３６、プラスチック光ファイバケーブル固定具収納溝４４０、ケーブル保持突起４４３、係合肩４３０および係合孔４４１を備える。
嵌合カバー固定突起４３５はプラグ４００の長手方向の中央部先端側に一対の突起として設けられ、後述する嵌合カバー４６０の嵌合カバー固定孔４６６と係合し、ハウジング４０１および４０２と嵌合カバー４６０を所定の位置に固定する。またレセプタクル１００とプラグ４００の接続後、嵌合カバー４６０がプラグの長手方向に揺動するのを防止する。
上部ハウジング４０１の略中央部先端側には、嵌合カバー固定溝４３６が上部ハウジング４０１の長手方向に、一方の側壁４１２に沿って削成される。該溝４３６は嵌合カバー４６０の嵌合カバー固定突起４６５と係合して固定されるが、共に、一方の側面側にのみ嵌合カバー固定溝４３６と嵌合カバー固定突起４６５が形成されるので、ハウジング４０１および４０２に嵌合カバー４６０を固定する方向が１方向に決定され固定方向（具体的にはプラスチック光ファイバケーブルに由来する嵌合カバー４６０の極性）を間違えることはない（図１０および図１１参照）。また、レセプタクル１００の嵌合空間１３０にも該嵌合カバー固定突起４６５に対応する嵌合溝が、一方の側面側にのみ削成されているのでプラグ４００とレセプタクル１００との接続方向（具体的にはプラスチック光ファイバケーブルに由来する嵌合カバー４６０とレセプタクル１００の極性）を間違えることはない。
【００６７】
上部ハウジング４０１の略中央部後端側には、後述するプラスチック光ファイバケーブルのテンションメンバを固定するプラスチック光ファイバケーブル固定具４５０を収納するプラスチック光ファイバケーブル固定具収納溝４４０が削成される。これにより、プラスチック光ファイバケーブルを確実に固定でき、前記嵌合部４１５の揺動を防止できる。
プラスチック光ファイバケーブル固定具収納溝４４０の後端側には、ケーブル保持突起４４３と係合孔４４１が形成される。両ハウジング４０１および４０２のケーブル保持突起４４３は、略円錐状であり、プラスチック光ファイバケーブル６００の被覆材をその平面の上下から挟持しより確実に嵌合カバー４６０、プラスチック光ファイバケーブル６００等を固定する。
【００６８】
図９を参照してプラスチック光ファイバケーブル固定具を説明する。
図９は固定具の斜視図である。図９において、４５０はプラスチック光ファイバケーブル固定具、４５１は側壁、４５２はスリットである。
プラスチック光ファイバケーブル固定具４５０は、プラスチック光ファイバケーブルの断面の長半径と略同一の幅を有し、断面コの字状に成形される。その側壁４５１の略中央部には、テンションメンバの直径よりやや狭い幅の、テンションメンバを挟持するスリット４５２がそれぞれ１本づつ設けられテンションメンバを固定する。
固定方法は、プラスチック光ファイバケーブル６００のテンションメンバを所定の長さに切断しケーブル６００の断面の長半径方向に略垂直に折曲げ、該スリット４５２にテンションメンバを挿入して挟持する。該スリット４５２にテンションメンバを挿入した後スリット４５２の入口付近を変形させより強固に挟持させてもよい。このようにすることにより、ケーブル６００と固定具４５０が極めて密着一体化し、ケーブル６００がその長手方向に引っ張られてもプラグ内でのファイバ芯線の損傷を防止することができる。また該構造は小型であり１部材で２本のテンションメンバを固定でき、プラグ４００の小型化にも有効である。
【００６９】
レセプタクル１００と嵌合する本発明の嵌合部４１５は、嵌合カバー４６０とプラスチック光ファイバケーブルの接合に一般的に用いられる嵌合部品とからなる。
嵌合部品は、フェルール、バネ部材、ハウジング、筒状体等からなり、プラスチック光ファイバはフェルール内でバネ等により付勢されて保持されるのが一般的であり、本発明ではＭＵ型コネクタとして知られるものを使用しているがこれに限定されない。
【００７０】
図１０を参照して嵌合カバー４６０を説明する。
図１０は嵌合カバー４６０の斜視図である。図１０において、４６０は嵌合カバー、４６５は嵌合カバー固定突起である。
嵌合カバー４６０は一般に用いられる形状が限定されないプラスチック光ファイバケーブル接合用の嵌合部材の外側に装着され、プラグ４００と嵌合部材とを確実に固定保持する。
嵌合カバー４６０は、ストッパ溝４６１、嵌合カバー固定突起４６５および嵌合カバー固定孔４６６を有する。
ストッパー溝４６１は、嵌合カバー４６０の長手方向に沿って所定の大きさを有し、図示しない嵌合部品の突起と共に所定の範囲内で嵌合部品が遊動するように構成される。このようにすることで、プラグ４００とレセプタクル１００と接続した際に、接続部が付勢され接続が確実に行われる。
嵌合カバー固定突起４６５は、嵌合カバー４６０の長手方向に沿って上面および下面側に凸に、嵌合カバーの一方の側面にのみ設けられる。このような構造にすることにより、該カバー４６０とハウジング４０１、４０２の固定、該カバー４６０とレセプタクル１００との嵌合方向（具体的にはプラスチック光ファイバケーブルに由来する嵌合カバー４６０とハウジング４０１、４０２とレセプタクル１００の極性）を間違えることはない。
嵌合カバー固定孔４６６は、嵌合カバー４６０の長手方向終端部近傍に設けられ、プラグ４００のハウジング４０１、４０２の嵌合カバー固定突起４３５と係合して該ハウジング４０１および４０２と嵌合カバーを固定する。
【００７１】
接続部２、プレート枠４、化粧板３、扉１１、裏カバー１３、張力止め部材２００はＡＢＳ樹脂、取り付け枠６は変性ＰＰＯ樹脂、レセプタクルハウジング１１０、後部ハウジング１２０はＰＰＳ樹脂および上部ハウジング４０１、下部ハウジング４０２、嵌合カバー４６０はＰＢＴ樹脂の射出成形により得られるが、これらの樹脂に限定されない。
プラグ４００のビーム４１０は、弾性材料から得られ、具体的には、ガラス入りＰＢＴ樹脂であり、または弾性構造を有するものである。例えば、ビームの付根に蛇腹状の弾性構造を有するもの等が挙げられる。
ブーツは、各種ゴム、エラストマー等から得られ、具体的には、シリコンゴムが挙げられるがこれらに限定されない。
固定具４５０は、金属製であり、例えば、冷間圧延鋼板が挙げられるが、これらに限定されない。
【００７２】
次に本発明の光コンセントおよびプラグの接続方法を説明する。
まず、壁内に埋込まれたプラスチック光ファイバケーブル６００を壁内から引き出し、該プラスチック光ファイバケーブル６００の端部の被覆材を剥ぎ、プラスチック光ファイバおよびテンションメンバを剥き出しにし、テンションメンバを被覆材の端部近傍で切断する。縮径しているブーツの先端側からそれぞれのプラスチック光ファイバにブーツ１５０を通し該先端側をプラスチック光ファイバケーブルシースに挿入する。その後フェルールホルダをプラスチック光ファイバに通してブーツ１５０の終端を該ホルダに圧入し保持する。このようにしてプラスチック光ファイバケーブルの端部を成端する。
該成端されたプラスチック光ファイバケーブルの端部をレセプタクル１００の後部ハウジングに取り付け結合させる。
【００７３】
接続部２と取り付け枠６は、予め係合しておいてもよい。
該レセプタクル１００をボディ１０のレセプタクル収納部に、該ボディ１０の弾性係合ラッチ４２とレセプタクル１００の係合肩１２３を係合して収納する。該ボディ１０のケーブルガイド４０にプラスチック光ファイバケーブル６００を挿入し、該ケーブル６００の被覆材端部をケーブルガイド４０の突起４１に当接させて固定する。
つぎに、ボディ１０の係合凸部５０近傍に張力止め部材２００の係合凹部２２１を配置しプラスチック光ファイバケーブル側（ボディ１０の長手方向終端側）に押し込んで、該係合凸部５０と該係合凹部２２１およびボディ１０の係合突起５１と張力止め部材２００の弾性係合ラッチ２２０を係合させて張力止め部材２００をボディ１０に固定する。このとき、ボディ１０のケーブルガイド４０の先端と張力止め部材２００のケーブルガイド２１０の下端部は整合し、略半円状のケーブルガイドとなる。
【００７４】
その後、プラスチック光ファイバケーブル６００を張力止め部材２００のケーブルガイド２１０に配置し、該ケーブルガイド２１０の終端に形成された固定部２３０に、該固定部２３０の開口側からプラスチック光ファイバケーブル６００を押し込み挟持させる。
ここで、プラスチック光ファイバケーブル６００が長い場合は、該張力止め部材２００の背面板２０１の両側壁２４０に巻きつけておく。
以上で、壁内に埋込まれたプラスチック光ファイバケーブル６００のボディ１０への接続が完了する。
【００７５】
これをＪＩＳ規格の壁面埋込みボックスに張力止め部材２００を収納し、所定の方法（螺着）で取り付け枠６を壁面埋込みボックスに取り付けた後、取り付け枠６にプレート枠４をプレート取り付けねじ５で螺合する。最後にプレート枠４の係合肩６３と化粧板３の弾性係合ラッチを係合させて化粧板３を取り付け、光コンセント１の接続、組立が完了する。
【００７６】
つぎにプラグの組立について説明する。
光コンセント１に接続する他方のプラスチック光ファイバケーブルの端部の被覆を剥ぎ、プラスチック光ファイバおよびテンションメンバを剥き出しにして、一般に用いられる方法でフェルールを各プラスチック光ファイバに取り付ける。本発明の嵌合カバー４６０をフェルールに被せて取り付け嵌合部４１５が成端される。それぞれのテンションメンバは被覆材の端部からプラスチック光ファイバケーブルの断面の長半径方向に略垂直に曲げられ、プラスチック光ファイバケーブル固定具４５０の側壁４５１に設けたスリット４５２に挿入され挟持される。プラグに収まる程度にテンションメンバが切断されプラスチック光ファイバケーブル固定具の形成が終了する。
【００７７】
上部ハウジング４０１、下部ハウジング４０２の嵌合カバー固定突起４３５および嵌合カバー固定溝４３６に嵌合カバー４６０の嵌合カバー固定孔４６６および嵌合カバー固定突起４６５を嵌合し、プラスチック光ファイバケーブル固定具収納溝４４０にプラスチック光ファイバケーブル固定具４５０を収納し、さらにケーブル保持突起４４３にプラスチック光ファイバケーブルの被覆材を挟持させる。上部ハウジング４０１の係合肩４３０と下部ハウジング４０２の弾性係合ラッチ４３１および上部ハウジング４０１の係合孔４４１と下部ハウジング４０２の圧入ポスト４４２を係合させプラグの組立が終了する。
【００７８】
光コンセントとプラグの接続について説明する。
接続するプラグの方向 (面）を、プラグに設けた凸リブ４２０の印により確認する。プラグ壁面のつまみ部４２１を持ち、光コンセント１のボディ１０近傍に配置する。まず、プラグ４００のビーム先端部４１１を扉１１の案内面２１上に置くが、ボディ１０の最上面２７には傾斜面２８が削成され必要ならボディ最上面２７に案内面２１を示す矢印が付されていてもよいので、容易に案内面２１を認識できる。ビーム先端部４１１と案内面２１の案内溝２２を整合させ、スプリング１２で付勢されている扉１１を付勢力に抗して壁側に押し込む。完全に扉１１を押し下げるとレセプタクル１００の接続口１０５が現れる。
【００７９】
扉１１を押し下げたままプラグ４００をボディ１０方向に移動させると、レセプタクル１００の側壁１０３および１０４とプラグ４００の先端部４１１が当接する。少し移動させると、テーパ形状の先端部４１１が側壁１０３、１０４等からなる間隙３１に挿入される。このとき、弾性材料からなるビーム４１０は外側に拡径する。さらに移動させると、先端部４１１はレセプタクル１００の側壁１０３および１０４の外側表面を摺動しプラグの差込を案内する。先端部４１１が該側壁１０３および１０４を摺動し縮径された後部ハウジング１２０に達すると、拡径していた先端部４１１が縮径して後部ハウジング１２０の側壁１２５に当接しかつ先端部４１１の突起後部がレセプタクルハウジング１１０と係止して、光コンセント１とプラグ４００の接続が完了する。
【００８０】
以上のようにして光コンセント１、プラグ４００および両者の接続、組立を行うが、プラスチック光ファイバケーブルは、極性（２本のプラスチック光ファイバの極性が異なる）を有するため、２本のプラスチック光ファイバケーブルを接続するには、これらの極性を一致させる必要がある。
本発明のレセプタクル１００、レセプタクルハウジング１１０、後部ハウジング１２０、レセプタクル１００の嵌合空間１３０、上部ハウジング４０１、 下部ハウジング４０２および嵌合カバー４６０には、前記したように極性が不一致では組立、係合等しないような工夫が各構成物品に施されている。
【００８１】
具体的に説明すると、壁に埋め込まれているプラスチック光ファイバケーブル６００の極性を確認して、レセプタクル１００の後部ハウジング１２０に接続する。その後、前記の接続方法により光コンセント１の接続、組立が完了すると、該光コンセント１のレセプタクル１００の極性は、壁に埋め込まれたプラスチック光ファイバケーブル６００の極性をそのまま保持する。また、該プラスチック光ファイバケーブル６００に接続する他方のプラスチック光ファイバケーブルの極性を確認して嵌合カバー４６０を取り付け嵌合部４１５を形成すると該嵌合部４１５は他方のプラスチック光ファイバケーブルの極性をそのまま保持する。レセプタクル１００と嵌合部４１５は極性の整合する方向でのみ嵌合するため、両者が嵌合すれば必然的に両プラスチック光ファイバケーブルの極性が一致することになる。
このように各構成部品にプラスチック光ファイバケーブルに由来する特徴（極性構造）を持たせることで、現場でプラスチック光ファイバケーブルを接続、組立する際にその都度極性を確認して行うことによる接続ミスをなくすことができ、かつ、接続操作が簡単で作業時間が短縮できる。
【００８２】
光コンセント１とプラグ４００の取り外しは、プラグ４００をボディ１０と反対方向に引っ張ることで行われる。ビーム４１０の先端部４１１に形成された突起の後部と、レセプタクル１００のレセプタクルハウジング１１０との係止は、所定の引っ張り力以上の力が働くと係止部が外れるように構成されている。そのため、該所定の引っ張り力以上の力でプラグ４００を引っ張ると光コンセント１とプラグ４００の接続が解除される。そして、光コンセント１とプラグ４００の接続が完全に解除されると、それまでスプリング１２の付勢力に抗して開いていた扉１１が、スプリング１２の付勢力により自動的に閉じ、防塵効果を発揮する。
【００８３】
以上、本発明を好適実施例を基に順を追って詳細に説明したが、本発明はこれに限定されるものではない。
【００８４】
【発明の効果】
本発明により、ＪＩＳ規格に適合し汎用性、防塵効果を有し、取り扱いやすく施工容易な、プラスチック光ファイバケーブルの高伝送能を保持するプラスチック光ファイバ用コンセントおよびプラグを含む組立体を提供することができる。より具体的には、本発明により以下に示す効果を有する光コンセントおよびプラグを含む組立体を提供することができる。
【００８５】
１）ＪＩＳ規格の３個モジュールに取り付け可能なプラスチック光ファイバ用コンセントを提供することにより、既存の配線器具に適用でき汎用性を有し取り付け用途が広がる。
２）プラグとレセプタクルの接続方向と、プラスチック光ファイバケーブルが設置される壁面とを平行とすることにより、壁面からプラグの出代を小さくすることができ、家具等によるプラスチック光ファイバー芯線への外的影響を受け難く、伝送性能を維持できる。また、プラグが外れても、プラスチック光ファイバケーブルで伝送された光線が下方向（床方向）に出るため光コンセントを覗きこむことによる人的影響もなく安全性が確保できる。
３）張力止め部材に、プラスチック光ファイバケーブルの推奨最小半径で形成されたケーブルガイドを設けることにより、施工時にケーブルがケーブルガイドに固定され推奨最小半径より小さく湾曲されることを未然に防止でき伝送性能を維持できる。
４）レセプタクル接続口のテーパ形状と一致する傾斜角で扉を設置することにより、扉とレセプタクルの隙間をなくすことができ塵の侵入を防止できる。
５）扉に、ボディ最上面より低い位置に案内面を設けることにより、扉の案内面が確認でき扉の開閉操作性が容易かつ自動開閉可能となる。
【００８６】
６）扉の案内面の両端に、プラグのビーム先端部を案内する案内溝を設けることにより、開閉操作が簡単でスムーズかつバランスよく行え、防塵構造を有する。
７）ボディは、プラスチック光ファイバケーブルの推奨最小半径と一致する半径の円弧に接する面で形成されるテーパ形状を有することにより、壁面からの出っ張り感がなくなり、見栄えが良く、また、部品点数も減らすことができコストメリットも向上する。
８）ボディに、接続後のプラグを支保する支保面をプラグ挿入部に形成することにより、プラグ挿入後、支保面に対して垂直方向のプラグの揺動を防止でき、安定した支保が可能である光コンセント。またプラグに外的影響を受けても支保面で保持できるため直接ファイバが外的影響を受けにくい。
９）支保面の始端が、プラグとレセプタクルの接続方向に面取りされていることにより、プラグの挿入が引掛りなくスムーズに行え、また、化粧板からの出っ張り感をなくすことができ見栄えが良くなる。
１０）ボディの裏面に、プラスチック光ファイバケーブルの推奨最小半径で形成されたケーブルガイドを有することにより、施工時にケーブルがケーブルガイドに固定され推奨最小半径より小さく湾曲されることを未然に防止でき伝送性能を維持できる。
【００８７】
１１）ケーブルガイドをレセプタクルと所定の距離を確保した位置に設けることにより、レセプタクルへ差し込まれるプラスチック光ファイバ芯線の揺動を抑え、芯線への外的影響を防止できる。
１２）ボディの裏面に、係合部材を設け、レセプタクルを着脱可能に装着することにより、レセプタクルの着脱が容易であり、施工性が向上する。
１３）張力止め部材に、凸状突起を凸設しプラスチック光ファイバケーブルを挟持する固定部を設けることにより、固定部の凸状突起により施工時想定されるプラスチック光ファイバケーブルの引っ張りを防止し伝送性能を維持できる。
１４）ボディおよび張力止め部材に、係合部材を設け、張力止め部材とボディを着脱可能に係着することにより、例えば壁内部の隙間が狭い所へ施工する場合等においてもボディからの取外しも簡単にでき施工性が向上し使用範囲も広がる。また該張力止め部材が固着され施行時のプラスチック光ファイバケーブルが安定し、伝送性能の維持も可能である。
１５）壁内埋込ボックスより幅が狭い背面板を有し、張力止め部材の背面板にプラスチック光ファイバケーブルを環囲させて、張力止め部材を壁内埋込ボックスに収納できるようにすることにより、施工時に壁内埋込ボックス内部にケーブルを収納し易く施工性が向上する。
【００８８】
１６）弾性を有する円筒状の可撓性部材（ブーツ）で成端されたプラスチック光ファイバケーブルと接続されるレセプタクルを用いることにより、作業性がよくプラスチック光ファイバケーブルの湾曲時の応力を分散できプラスチック光ファイバ芯線が保護される。
１７）プラグと嵌合する嵌合空間を有するレセプタクルハウジングと；プラスチック光ファイバケーブルと接続される接続部を有する、レセプタクルハウジングより縮径された後部ハウジングと；を含むレセプタクルを用いることにより、レセプタクルがボディに確実に装着され、レセプタクルとプラグとの接続も確実に行える。
１８）前記レセプタクルハウジングが、前記接続部の両外側（前記ボディのプラグ差込口と前記レセプタクルの側壁との間）に前記プラグのビームおよびその先端部と嵌合する間隙を有することにより、プラグのビームとレセプタクルの接続状態が確実となり、接続方向に対して垂直方向のプラグの揺動を防止できる。
１９）レセプタクルハウジングの接続口を、テーパ形状とすることにより、扉とレセプタクルの隙間をなくすことができ塵の侵入を防止することができる。
２０）レセプタクルの後部ハウジングが、案内テーパおよび係合肩を有することにより、該レセプタクルの装着方向を間違えない。
【００８９】
２１）レセプタクルの後部ハウジングが、増径率の異なるフランジを有することにより、該レセプタクルの装着方向を間違えない。
２２）レセプタクルの後部ハウジングの縮径部に、ボディの係合部材とプラグのビーム先端部が収まる構造とすることで、レセプタクルがボディに強固に固定されかつプラグとの接続が確実になる。
２３）プラグのビームが嵌合部よりも長く、その先端に向かって漸減するテーパ状の突起を凸設された先端部を有することにより、接続時に案内され接続が容易となるとともにプラスチック光ファイバケーブルの固定が確実なり、かつ、プラグの嵌合部を保護できる。
２４）プラグのハウジングに、その表面の略中央部に略半円形の凸リブを形成することにより、該凸リブとボディの支保面が当接し、プラグ挿入後、支保面に対して垂直方向のプラグの揺動を防止できる。
２５）プラグ内部にプラスチック光ファイバケーブルの断面の長半径と略同一幅で断面コの字状に形成され、その両側面にプラスチック光ファイバケーブルのテンションメンバを挟持するスリットを有するプラスチック光ファイバケーブル固定具と；該固定具を収納するプラスチック光ファイバケーブル固定具収納溝を有することにより、プラグを小型化できかつプラグが外的影響を受けても固定部で保持できるため直接ファイバが外的影響を受けにくい。
【００９０】
２６）プラグ内部のプラスチック光ファイバケーブル固定具収納溝の後端側に、プラスチック光ファイバケーブルを挟持するケーブル保持突起を凸設することにより、プラスチック光ファイバケーブルをより強固に保持できる。
２７）前記プラグの嵌合部品と嵌合する左右非対称の嵌合溝を有する前記レセプタクルハウジングの嵌合空間と；プラグ内部のプラスチック光ファイバケーブル先端側では、その側面の一方に、該側面に沿って上面および下面側に凸に突起を凸設された嵌合カバーを備える嵌合部と；プラグのハウジングの略中央部先端側に、その長手方向に一方の側壁に沿って嵌合カバーの突起と係合する嵌合カバー固定溝を削成されたハウジングと；を有することにより、接続方向 (面) の間違いがない。
【図面の簡単な説明】
【図１】  光コンセントとプラグの接続状態を示す斜視図である。
【図２】  光コンセントの分解斜視図である。
【図３】  接続部の分解斜視図である。
【図４】  プラグの挿入部を示す斜視概略図である。
【図５】  レセプタクルの斜視概念図である。
【図６】  プラグの上面図である。
【図７】  上部ハウジングの内面正面図である。
【図８】  下部ハウジングの内面正面図である。
【図９】  光ファイバケーブル固定具の斜視図である。
【図１０】  嵌合カバーの斜視図である。
【図１１】  プラグの斜視図である。
【図１２】  レセプタクルとプラスチック光ファイバケーブルの接続状態を示す斜視図である。
【符号の説明】
１        光コンセント
２        接続部
６        取り付け枠
１０      ボディ
１１      扉
２０      挿入部
２１      案内面
２２      案内溝
２５      支保面
２７      最上面
２８      傾斜面
３０      差込口
３１      間隙
４０      ケーブルガイド
４１      突起
１００    レセプタクル
１０１    上面
１０２    下面
１０３、１０４    側壁
１０５    接続口
１１０    レセプタクルハウジング
１２０    後部ハウジング
１２２    案内テーパ
１２３    係合肩
１２４    フランジ
１３０    嵌合空間
１５０    ブーツ
２００    張力止め部材
２０１    背面板
２１０    ケーブルガイド
２３０    固定部
２３１、２３２    突起
２３５    挟持空間
４００    プラグ
４０１    上部ハウジング
４０２    下部ハウジング
４１０    ビーム
４１１    先端部
４１５    嵌合部
４２０    凸リブ
４３５    嵌合カバー固定突起
４３６    嵌合カバー固定溝
４４０    プラスチック光ファイバケーブル固定具収納溝
４４３    ケーブル保持突起
４５０    プラスチック光ファイバケーブル固定具
４５２    スリット
４６０    嵌合カバー
４６５    嵌合カバー固定突起
６００    プラスチック光ファイバケーブル
【図１】
0004197588.tif 000002
【図２】
0004197588.tif 000003
【図３】
0004197588.tif 000004
【図４】
0004197588.tif 000005
【図５】
0004197588.tif 000006
【図６】
0004197588.tif 000007
【図７】
0004197588.tif 000008
【図８】
0004197588.tif 000009
【図９】
0004197588.tif 000010
【図１０】
0004197588.tif 000011
【図１１】
0004197588.tif 000012
【図１２】
0004197588.tif 000013